(57)【要約】　　　（修正有）【課題】指に嵌める第１ストラップ具のループを締付具で狭めて携帯電話を固定し、他の指で安定してキー入力を行うことができるようにした携帯用ストラップに関する。【解決手段】　第１ストラップ具２には、携帯電話に連結するためのループ状の第１紐部３と、第２ストラップ具２０に連結するためのループ状の第２紐部４とを止め具９を介して連結しており、該第２紐部には、第２紐部に沿って摺動し先端側に形成されるループ６を拡縮させる締付具５を有しており、第２ストラップ具には、第１ストラップ具の前記第２紐部を掛止める掛止具２１を有しており、携帯電話の使用時に、前記１ストラップ具の第２紐部を締付具で狭めて使用者の指に掛止めて携帯電話を固定し、他の指でキー入力をしやすいようにしたことを特徴とする。【選択図】　　図１
0003100229.tif 000002
【実用新案登録請求の範囲】
【請求項１】
　携帯電話やデジタルカメラなどの携帯用機器に連結される指掛け用の第１ストラップ具と、該第１ストラップ具を着脱可能に連結する第２ストラップ具とからなる携帯用ストラップにおいて、
　第１ストラップ具が、前記携帯用機器に連結するためのループ状の第１紐部と、該第１紐部と止め具を介して連結されるループ状の第２紐部とからなり、前記第２紐部には、第２紐部に沿って摺動し先端側に形成されるループを拡縮して該ループによる締付を可能とし締付位置で拘束する締付具を有しており、
　第２ストラップ具が、前記第２紐部に掛け止められ前記締付具でループを狭めて締付可能な掛止具を有し、
　前記第２ストラップ具から第１ストラップ具を外した際に、前記第２紐部のループを前記締付具で狭めて携帯用機器を把持する指掛け用としたことを特徴とする携帯用ストラップ。
【請求項２】
　第２ストラップ具の掛止具が、前後両側に形成された一対のフランジ部と、該一対のフランジ部間に前記第２紐部を掛止め可能な環状の溝とからなっており、
　前記後方のフランジ部に、該後方のフランジ部から前記溝の上方を超えて前方のフランジ部まで延び、前方のフランジ部の外周縁との間に第２紐部を通す隙間を設けた連結具を一体に設け、該連結具を介して掛止具が第２ストラップ具に連結されていることを特徴とする請求項１に記載の携帯用ストラップ。
【請求項３】
　第１ストラップ具の締付具が、紐本体を折り返して両端を固定したループ状の第２紐部のそれぞれの紐本体を通す一対の貫通孔と、該一対の貫通孔の間の仕切部とからなって、該仕切部が第２紐部に掛け止められて抜け落ちないようになっており、前記貫通孔の内壁が、前記紐本体の挿通方向の中途位置で前記紐本体に摩擦抵抗を与えるように膨出する隆起部を有してなることを特徴とする請求項１または２に記載の携帯用ストラップ。
【請求項４】
　第１ストラップ具と第２ストラップ具とが全て生分解可能な素材からなっていることを特徴とする請求項１から３のいずれかに記載の携帯用ストラップ。
【考案の詳細な説明】
【技術分野】
【０００１】
　この考案は、携帯電話やデジタルカメラなどの携帯用機器を保持する際に、指掛けして静止させることができる二連の携帯用ストラップに関する。
【背景技術】
【０００２】
　携帯用ストラップとして先端にリングを固定しておき、このリングを指に嵌めてストラップを緊張させて携帯電話を固定し、他の指で携帯電話のキー入力を安定して行うことができる構成が知られている。
　しかし、上記構成では、リングの大きさが一定であるため、指が細い人の場合にはぐらついたり外れたりしやすく、また指が太い人の場合にはリングの着脱がしずらいなどの欠点があった。
　また、上記ストラップは首や腕に掛止めることはできないので、別のストラップと連結する必要があるが、例えばリングをフック状の掛止具に掛止めてもリングが大きく動くため、携帯電話が前記別のストラップとは関係なく自由に揺動してしまう欠点があった。
　上記問題点は、携帯電話に限らずデジタルカメラなど手で保持して静止することが必要な携帯用機器に共通の問題点であった。
【特許文献１】実用新案登録第３０８９５９３号
【考案の開示】
【考案が解決しようとする課題】
【０００３】
　この考案は上記事情に鑑みて創案されたものであって、その主たる課題は、携帯用機器を保持する指に第１ストラップ具の第２紐部を掛止めて拘束し、第１ストラップ具を緊張させて前記携帯用機器の揺動を防ぎ、携帯用機器の操作を安定して行わせることができるようにした携帯用ストラップを提供することにある。
　この考案の別の課題は、第１ストラップ具の第２紐部のループを締付具で拘束して、第２ストラップ具の掛止具に掛け止めて使用者の首や腕に掛けることができるようにすると共に、思わぬ方向に携帯用機器が動かないようにした携帯用ストラップを提供することにある。
【課題を解決するための手段】
【０００４】
　この考案は、上記課題を達成するために、請求項１の考案では、
　携帯電話やデジタルカメラなどの携帯用機器に連結される指掛け用の第１ストラップ具と、該第１ストラップ具を着脱可能に連結する第２ストラップ具とからなる携帯用ストラップにおいて、
　第１ストラップ具が、前記携帯用機器に連結するためのループ状の第１紐部と、該第１紐部と止め具を介して連結されるループ状の第２紐部とからなり、前記第２紐部には、第２紐部に沿って摺動し先端側に形成されるループを拡縮して該ループによる締付を可能とし締付位置で拘束する締付具を有しており、
　第２ストラップ具が、前記第２紐部に掛け止められ前記締付具でループを狭めて締付可能な掛止具を有し、
　前記第２ストラップ具から第１ストラップ具を外した際に、前記第２紐部のループを前記締付具で狭めて携帯用機器を把持する指掛け用としてなる、という技術的手段を講じている。
　また、請求項２の考案では、
　前記第２ストラップ具の掛止具が、前後両側に形成された一対のフランジ部と、該一対のフランジ部間に前記第２紐部を掛止め可能な環状の溝とからなっており、
　前記後方のフランジ部に、該後方のフランジ部から前記溝の上方を超えて前方のフランジ部まで延び、前方のフランジ部の外周縁との間に第２紐部を通す隙間を設けた連結具を一体に設け、該連結具を介して掛止具が第２ストラップ具に連結されている、という技術的手段を講じている。
　請求項３の考案では、
　前記第１ストラップ具の締付具が、紐本体を折り返して両端を固定したループ状の第２紐部のそれぞれの紐本体を通す一対の貫通孔と、該一対の貫通孔の間の仕切部とからなって、該仕切部が第２紐部に掛け止められて抜け落ちないようになっており、前記貫通孔の内壁が、前記紐本体の挿通方向の中途位置で前記紐本体に摩擦抵抗を与えるように膨出する隆起部を有してなる、という技術的手段を講じている。
　更に、請求項４の考案では、
　前記第１ストラップ具と第２ストラップ具とが全て生分解可能な素材からなっている、という技術的手段を講じている。
【考案の効果】
【０００５】
　この考案では、指に掛ける第１ストラップ具の第２紐部のループを締付具で狭めて指に拘束し第１ストラップ具を緊張させて携帯用機器を固定するので、安定した状態で、携帯用機器を操作することができる。
　また、首や腕などに掛止めるための第２ストラップ具に設けられた掛止具に対しても第１ストラップ具の第２紐部のループを締付具で狭めて拘束することができる。
　更に、掛止具は、前後がフランジ部で塞がれ側方が開いているので、第１ストラップ具は左右方向にのみ揺れるので、第２ストラップ具に対して第１ストラップ具が不意の方向に揺動することがない。
　更に、これらの第１、第２ストラップ具を生分解可能な素材とすることにより、廃棄しても環境を損なうことがない。
【考案を実施するための最良の形態】
【０００６】
　第１ストラップ具の第２紐部に、ループを広げまたは狭める締付具を設けることで、指への装着や、第２ストラップ具への掛止を確実に行えるようにした。
　以下に、この考案の携帯用ストラップを携帯電話に適用した場合の好適実施例について図面を参照しながら説明する。
【実施例】
【０００７】
　図１は、携帯電話Ｋに携帯用ストラップ１を装着した実施例１の正面図である。
　携帯用ストラップ１は、携帯電話Ｋに連結される指掛け用の第１ストラップ具２と、該第１ストラップ具２を着脱可能に連結する第２ストラップ具２０とからなっている。
【０００８】
［第１ストラップ具］
　第１ストラップ具２は、携帯電話Ｋのキー入力部の上部に連結するためのループ状の第１紐部３と、前記第２ストラップ具２０に連結するためのループ状の第２紐部４とを有している。
　そして、該第２紐部４には、第２紐部４に沿って摺動し先端側に形成されるループ６を拡縮させる締付具５を有している。
【０００９】
　第１紐部３は、図２（ａ）に示すように、先端にストッパー部１１を有するループ状の松葉紐１２と、該松葉紐１２を通しストッパー部１１を内側で掛け止める筒状のねじ部を有するキャップ部８と、キャップ部８に螺着される第１受具７と、第１受具７に固定された第１リング受１３とから形成されている。
【００１０】
　また、第２紐部４は、本実施例ではベルト状の本皮などのインサート成形可能な素材を用いており、基端にプラスチックネジ（プラネジ）１５を同時にインサート成形したループ状の紐本体１４と、前記プラスチックネジ１４が螺着される筒状の第２受具６と、該第２受具６の他方側に固定される第２リング受１５とからなっている。
【００１１】
　前記第１紐部３の第１リング受１３と、第２紐部４の第２リング受１５とは、丸環１７によって連結されている。
　ここで、第１リング受１３と第２リング受１５とは、それぞれ第１受具７と第２受具６とに固定したが、旋回可能に取り付けてもよい。
　そして、本実施例では、キャップ部８および第１受具７から第２受具６に至るまでの構成が止め具９となっている。
【００１２】
[締付具]
　そして、前記紐本体１４には、締付具５がスライド可能に取り付けられている。
　締付具５は、例えば、図３に示すように、第２紐部４のループ状の紐本体１４の左右をそれぞれ通す一対の貫通孔５ａを有し、該貫通孔５ａの間に仕切部５ｂを設けており、該仕切部５ｂが第２紐部４に掛け止められて紐本体１４から抜け落ちないように構成されている。
　前記各貫通孔５ａは、その内壁に隆起部５ａ’が形成されており、前記紐本体１４の挿通方向の中途位置で前記紐本体１４に所定の摩擦抵抗を与えるように湾曲状に膨出している（図３（ｂ）参照）。
　従って、締付具５は、第２紐部４に沿って上記貫通孔５ａの内壁の隆起部５ａ’の摩擦抵抗に抗してスライドし、第２紐部４の所望位置（指掛け位置）で静止すれば、締付具５は前記摩擦抵抗の範囲でその位置にて保持される。
【００１３】
　上記実施例では、締付具５のスライド性を損なわないように貫通孔５ａの一部を隆起させたが、貫通孔自体を狭めて第２紐部４に摩擦抵抗を与える構成としてもよい。
　また、締付具５に１つの貫通孔を設け、該貫通孔に第２紐部４の一対の紐本体１４を共に挿通する構成であってもよい。
　更に、図示しないが、締付具にループ状の紐本体１４を同時に通す貫通孔を１つ設けておき、該貫通孔と整合する穴を有し貫通孔と直交し締付具から外方へ突出する方向に付勢された柱状のロック片を設け、該ロック片を押し込むことで紐本体１４に沿って締付具を摺動させ、所望位置でロック片を離すとロック片が突出して前記穴を狭めて紐本体１４を挟圧してロックするなどのようなロック機構付きの公知構成を用いてもよい。
【００１４】
［第１ストラップ具の異なる実施例］
　次ぎに、図２（ｂ）には第１ストラップ具２の異なる実施例を示す。
　この第１ストラップ具２の第１紐部３は、先端にストッパー部１１を有するループ状の松葉紐１２と、該松葉紐１２を通しストッパー部１１を内側で掛け止める筒状のねじ部を有するキャップ部８と、キャップ部８に螺着される前記第１受具に対応する受具７’とを有し、該受具７’の他方の端部側の内周面にねじが形成される。
【００１５】
　一方、第２紐部４は、基端にプラスチックネジ（プラネジ）１５を同時にインサート成形したループ状の紐本体１４からなり、上記プラスチックネジ１５を前記受具７’に螺着する構成からなっている。
　そして、前述のように紐本体１４に、締付具５がスライド可能に取り付けられている。
　なお、本実施例では、キャップ部８および受具７’の構成が止め具９となっている。
　このキャップ部８と受具７’は一体に形成して止め具９としてもよい。
【００１６】
[第２ストラップ具］　
　次ぎに、図４および図５（ａ）に示す第２ストラップ具２０は、第１ストラップ具２を着脱可能に連結すると共に、使用者の身体などに掛止めるために用いられる。
　この第２ストラップ具２０は、図示例の場合、ループ状にストラップ本体２０ａの先端に前記第２紐部２を掛止める掛止具２１を有している。
　掛止具２１は、図４で示すように、前後両側に一対の円板状のフランジ部２２、２３を形成し、該一対のフランジ部２２、２３間に環状の溝２４を有している。
　この溝２４には、前記第１ストラップ具２の第２紐部４（紐本体１４）を掛止めることができる。
【００１７】
　また、後方のフランジ部２３には、この後方のフランジ部２３から前記溝２４の上方を超えて前方のフランジ部２２まで延び、前方のフランジ部２２の外周縁との間に紐本体１４を通す隙間２６を設けた連結具２５を一体に有している。
　また、紐本体１４を溝２４から外す場合は、紐本体１４が連結具２５の外壁と衝合してループ６が横方向に広がり、抜けやすくなる。　
　この連結具２５は、中央に横方向に貫通する孔２５ａを有しており、前記ストラップ本体２０ａを挿通して連結している。
　なお、図中２７は、ストラップ本体２０ａのループ６の大きさを調整する締付具である。
【００１８】
[第２ストラップ具の異なる実施例］
　図５（ｂ）には第２ストラップ具２０の異なる実施例を図示した。
　この第２ストラップ具２０では、掛止具２１’としてナスカン（あみナス）が用いられているが、その他の公知の係止具を用いてもよい。
　その他の構成は前記実施例と同じである。
【００１９】
［使用法］
　上記構成からなっているので、図６に示す携帯電話Ｋの使用時には、前記第１ストラップ具２の第２紐部４を第２ストラップ具２０の掛止具２１から外して第２ストラップ具２０から携帯電話Ｋ側を分離する。
　そして、携帯電話Ｋに連結されている第１ストラップ具２を携帯電話Ｋの背面に回して、携帯電話Ｋを保持する指（図示例では小指）に第２紐部４を掛止める。
　次ぎに、締付具５を締付方向にスライドさせて上記第２紐部４のループ６を狭めて、使用者の指が第２紐部４から抜けないようにし、必要な場合には他の指を用いるなどして第１ストラップ具２を緊張させることで携帯電話Ｋを固定する。
【００２０】
　これにより、キー入力する指（親指）で、携帯電話Ｋの各種キーの入力を容易に行うことができる。
　また、携帯電話Ｋの使用後は、締付具５を逆方向にスライドさせて上記第２紐部４のループ６を緩めて指から外し、第２ストラップ具２０の掛止具２１に第２紐部４のループ６を掛止め、締付具５を締付方向にスライドして拘束し、第１ストラップ具２を第２ストラップ具２０に連結することができる。
【００２１】
　なお、この考案で、第１ストラップ具と第２ストラップ具の素材は特に限定されないが、第１ストラップ具と第２ストラップ具の全ての素材を生分解可能な合成樹脂で成形することができる。
　これにより、携帯用ストラップを廃棄しても、土中で生分解されるので、環境を損なうおそれがない。
【００２２】
　図７は、携帯用機器として、携帯電話に替えてデジタルカメラＣに適用した場合の異なる実施例を示す。
　この携帯用ストラップ１は、前記実施例と同様の構成からなっているので、その説明を省略する。
　この場合も、デジタルカメラＣを保持する指（図示例では小指であるが、他の指または複数の指でもよい）に第１ストラップ具２の第２紐部４を掛止め、締付具５で拘束し、第１ストラップ具２を緊張させることで、保持する指の力と第１ストラップ具２でデジタルカメラＣを引っ張る力とでデジタルカメラＣを静止、安定させることができ、親指でシャッターを切るなどの操作を安定して行うことができる。
　その他、この発明では、同様にして各種の携帯用機器に用いることができる。
【図面の簡単な説明】
【００２３】
【図１】携帯用ストラップを携帯電話に装着した状態の正面図である。
【図２】（ａ）は第１ストラップ具の正面図、（ｂ）は第１ストラップ具の異なる実施例を示す正面図である。
【図３】（ａ）は締付具の横断面図、（ｂ）は同縦断面図である。
【図４】（ａ）は第１ストラップ具と第２ストラップ具の掛止めを説明する要部の斜視図、（ｂ）は掛止状態の要部を側面から見た図である。
【図５】（ａ）は第２ストラップ具を外した状態の正面図、（ｂ）は第２ストラップ具の異なる実施例を示す正面図である。
【図６】携帯電話での第１ストラップ具の使用状態を示す側面図である。
【図７】デジタルカメラでの第１ストラップ具の使用状態を示す側面図である。
【符号の説明】
【００２４】
　１　　携帯用ストラップ
　２　　第１ストラップ具
　３　　第１紐部
　４　　第２紐部
　５　　締付具
　５ａ　貫通孔
　６　　ループ
　９　　止め具
２０　　第２ストラップ具
２１　　掛止具
【図１】
0003100229.tif 000003
【図２】
0003100229.tif 000004
【図３】
0003100229.tif 000005
【図４】
0003100229.tif 000006
【図５】
0003100229.tif 000007
【図６】
0003100229.tif 000008
【図７】
0003100229.tif 000009